(57)【要約】【課題】個人情報記入欄などの秘匿情報欄を確実に保護することができる情報保護シートを提供する。【解決手段】情報保護シート１０は、両面記入隠蔽はがきであって、折りミシン目ｍｃをはさんで配置された第１及び第２の領域１１−１，１１−２を有するベースシート１１と、第１の領域１１−１に貼り合わされ、個人情報記入欄１５を有する付属シート１２と、第２の領域１１−２に配置され、少なくとも個人情報記入欄１５を隠蔽する隠蔽部１７と、ベースシート１１の表面の一部であって、少なくとも個人情報記入欄１５に対応する部分に形成された地紋層２３などとを備え、ベースシート１１に付属シート１２と隠蔽部１７とを配置した状態で、略全面にわたって略均一な厚みとなっている。【選択図】図１
2006292996.tif 000002
【特許請求の範囲】
【請求項１】
折り線をはさんで配置された第１及び第２の領域を有するベースシートと、
前記第１の領域に配置され、秘匿情報欄を有する付属シートと、
前記第２の領域に配置され、少なくとも前記秘匿情報欄を隠蔽する隠蔽部とを備え、
前記隠蔽部によって前記秘匿情報欄を表面側から隠蔽し、
前記ベースシートによって前記秘匿情報欄が裏面側から透けることを防止すること、
を特徴とする情報保護シート。
【請求項２】
請求項１に記載の情報保護シートにおいて、
前記ベースシート及び／又は前記付属シートの少なくとも一部であって、前記秘匿情報欄に対応する部分に地紋層を備えること、
を特徴とする情報保護シート。
【請求項３】
請求項１又は請求項２に記載の情報保護シートにおいて、
前記ベースシートに前記付属シートと前記隠蔽部とを配置した状態で、略全面にわたって略均一な厚みであること、
を特徴とする情報保護シート。
【請求項４】
請求項１から請求項３までのいずれか１項に記載の情報保護シートにおいて、
前記隠蔽部は、
前記第２の領域上に設けられた擬似接着層と、
前記擬似接着層上に設けられ、透明性基材，粘着剤層及び剥離基材が順に積層されたラベル部とを備えること、
を特徴とする情報保護シート。
【請求項５】
請求項１から請求項３までのいずれか１項に記載の情報保護シートにおいて、
前記隠蔽部は、
前記第２の領域上に設けられた再剥離再貼付粘着剤層と、
前記再剥離再貼付粘着剤層上に設けられた剥離基材とを備えること、
を特徴とする情報保護シート。
【請求項６】
請求項１から請求項５までのいずれか１項に記載の情報保護シートにおいて、
前記付属シートは、前記ベースシートとともにはがきとなること、
を特徴とする情報保護シート。
【発明の詳細な説明】
【技術分野】
【０００１】
本発明は、個人情報などを保護するのに好適な情報保護シートに関するものである。
【背景技術】
【０００２】
図３は、従来の両面記入隠蔽はがきの一例を示す図である（例えば、特許文献１）。
従来の両面記入隠蔽はがき１０Ａは、図３（Ａ）に示すように、ベースシート１１と、隠蔽部１７とを備える。
ベースシート１１は、図３（Ｂ）に示すように、折りミシン目ｍｃをはさんで配置された第１及び第２の領域１１−１、１１−２を有し、連量が１１０ｋｇ／四六の用紙であり、第１の領域１１−１は、はがき１３となっている。
【０００３】
はがき１３は、表面には、宛名面１４と、個人情報記入欄１５とを備え、裏面には、アンケート記入欄１６を備える。
隠蔽部１７は、第２の領域１１−２上に設けられた擬似接着層１８と、擬似接着層１８上に設けられ、透明紙１９，透明粘着剤２０及び剥離紙２１が順に積層された保護ラベル２２とを備える。
【０００４】
そして、この両面記入隠蔽はがき１０Ａを使用する場合には、個人情報記入欄１５に必要事項を記入し、図３（Ｃ）に示すように、保護ラベル２２の剥離紙２１を剥がし、個人情報記入欄１５に保護ラベル２２を貼り込んで、個人情報記入欄１５を隠蔽する。
【０００５】
しかし、個人情報記入欄１５の表面は、保護ラベル２２で隠蔽しているので問題ないものの、裏面からは、個人情報記入欄１５が透けて見えてしまう恐れがあった。
【特許文献１】特開２００４−１０２１８８号公報
【発明の開示】
【発明が解決しようとする課題】
【０００６】
本発明の課題は、個人情報記入欄などの秘匿情報欄を確実に保護することができる情報保護シートを提供することである。
【課題を解決するための手段】
【０００７】
前記課題を解決するために、請求項１の発明は、折り線をはさんで配置された第１及び第２の領域を有するベースシートと、前記第１の領域に配置され、秘匿情報欄を有する付属シートと、前記第２の領域に配置され、少なくとも前記秘匿情報欄を隠蔽する隠蔽部とを備え、前記隠蔽部によって前記秘匿情報欄を表面側から隠蔽し、前記ベースシートによって前記秘匿情報欄が裏面側から透けることを防止すること、を特徴とする情報保護シートである。
請求項２の発明は、請求項１に記載の情報保護シートにおいて、前記ベースシート及び／又は前記付属シートの少なくとも一部であって、前記秘匿情報欄に対応する部分に地紋層を備えること、を特徴とする情報保護シートである。
請求項３の発明は、請求項１又は請求項２に記載の情報保護シートにおいて、前記ベースシートに前記付属シートと前記隠蔽部とを配置した状態で、略全面にわたって略均一な厚みであること、を特徴とする情報保護シートである。
請求項４の発明は、請求項１から請求項３までのいずれか１項に記載の情報保護シートにおいて、前記隠蔽部は、前記第２の領域上に設けられた擬似接着層と、前記擬似接着層上に設けられ、透明性基材，粘着剤層及び剥離基材が順に積層されたラベル部とを備えること、を特徴とする情報保護シートである。
請求項５の発明は、請求項１から請求項３までのいずれか１項に記載の情報保護シートにおいて、前記隠蔽部は、前記第２の領域上に設けられた再剥離再貼付粘着剤層と、前記再剥離再貼付粘着剤層上に設けられた剥離基材とを備えること、を特徴とする情報保護シートである。
請求項６の発明は、請求項１から請求項５までのいずれか１項に記載の情報保護シートにおいて、前記付属シートは、前記ベースシートとともにはがきとなること、を特徴とする情報保護シートである。
【発明の効果】
【０００８】
本発明によれば、隠蔽部によって秘匿情報欄を表面側から隠蔽し、ベースシートによって秘匿情報欄が裏面側から透けることを防止しているので、秘匿情報欄を両面から保護し、秘匿情報欄を確実に保護することができる。
また、秘匿情報欄に対応する部分に地紋層を備えることにより、秘匿情報欄をより確実に保護することができる。
さらに、ベースシートに付属シートと隠蔽部とを配置した状態で、略全面にわたって略均一な厚みとすることにより、印字適性に優れる情報保護シートを提供することができる。
【発明を実施するための最良の形態】
【０００９】
本発明は、個人情報記入欄などの秘匿情報欄を確実に保護することができる情報保護シートを提供するという目的を、個人情報記入欄を表と裏の両面から保護することにより実現する。
【実施例１】
【００１０】
以下、図面等を参照して、本発明の実施例について、さらに詳しく説明する。
図１は、本発明による情報保護シートの実施例１を示す図である。
実施例１の情報保護シート１０は、両面記入隠蔽はがきであって、図１（Ａ）に示すように、ベースシート１１と、付属シート１２と、隠蔽部１７と、地紋層２３などとを備える。
【００１１】
ベースシート１１は、図１（Ｂ）に示すように、折りミシン目（折り線）ｍｃをはさんで配置された第１及び第２の領域１１−１，１１−２を有し、連量が５５ｋｇ／四六の用紙である。
【００１２】
付属シート１２は、第１の領域１１−１に、接着剤などで貼り合わされ、連量が７０ｋｇ／四六の用紙である。
また、付属シート１２は、下層のベースシート１１とともにはがき１３となるものであり、そのはがき１３は、表面には、宛名面１４と、個人情報記入欄（秘匿情報欄）１５とを備え、裏面には、アンケート記入欄１６を備える。
【００１３】
隠蔽部１７は、第２の領域１１−２に配置され、少なくとも個人情報記入欄１５を隠蔽するものであり、第２の領域１１−２上に設けられた擬似接着層１８と、擬似接着層１８上に設けられ、透明紙（透明性基材）１９，透明粘着剤（粘着剤層）２０及び剥離紙（剥離基材）２１が順に積層された保護ラベル（ラベル部）２２とを備える。
なお、保護ラベル２２は、タック基材，粘着剤及び剥離紙が順に積層されたタック紙（タックシート）を用いると、製造しやすい。
【００１４】
地紋層２３は、ベースシート１１の表面の一部（第１の領域１１−１の表面）であって、少なくとも付属シート１２の個人情報記入欄１５に対応する部分に形成された、網点、砂目、彩紋などの地紋印刷である。
【００１５】
また、この情報保護シート１０は、ベースシート１１に付属シート１２と隠蔽部１７とを配置した状態で、略全面にわたって略均一な厚みとなっている。
【００１６】
次に、実施例１による情報保護シート１０の使用方法について説明する。
まず、個人情報記入欄１５に必要事項を記入する。
ついで、図１（Ｃ）に示すように、剥離紙２１を剥がし、透明粘着剤２０を表出させ、折りミシン目ｍｃで２つ折りし、表出させた透明粘着剤２０を個人情報記入欄１５に粘着させる。
このとき、個人情報記入欄１５は、隠蔽部１７によって表面側から隠蔽されており、かつ、ベースシート１１や地紋層２３によって、裏面側から透けて見えることが防止されている。
そして、この状態で、ポストに投函する。
受取側では、保護ラベル２２の擬似接着層１８部分で開封し、透明紙１９で覆われた個人情報記入欄１５を確認する。
【００１７】
このように、実施例１によれば、隠蔽部１７によって個人情報記入欄１５を表面側から隠蔽し、ベースシート１１や地紋層２３によって、個人情報記入欄１５が裏面側から透けて見えてしまうことを防止しているので、個人情報記入欄１５を両面から保護し、個人情報記入欄１５を確実に保護することができる。
また、略全面にわたって略均一な厚みとすることにより、印字適性に優れる情報保護シート１０を提供することができる。
【実施例２】
【００１８】
図２は、本発明による情報保護シートの実施例２を示す図である。
なお、前述した実施例１と同様な機能を果たす部分には、同一の符号又は末尾に統一した符号を付して、重複する説明や図面を適宜省略する。
実施例２の情報保護シート１０−２は、実施例１のような保護ラベル２２を利用した隠蔽部１７ではなく、図２（Ｂ）に示すように、再剥離再貼付粘着剤２０−２を利用した隠蔽部１７−２となっている。
隠蔽部１７−２は、第２の領域１１−２上に設けられた再剥離再貼付粘着剤２０−２と、再剥離再貼付粘着剤２０−２上に設けられた剥離紙２１とを備える。
そして、この情報保護シート１０−２を使用する場合には、個人情報記入欄１５に必要事項を記入し、図２（Ｃ）に示すように、隠蔽部１７−２の剥離紙２１を剥がし、個人情報記入欄１５に再剥離再貼付粘着剤２０−２を粘着させて、個人情報記入欄１５を隠蔽する。
受取側では、再剥離再貼付粘着剤２０−２部分で開封し、個人情報記入欄１５を確認する。
【００１９】
このように、実施例２によれば、特殊な保護ラベル２２は不要となるので、実施例１のものよりも製造コストを抑えることができる。
【００２０】
（変形例）
以上説明した実施例に限定されることなく、種々の変形や変更が可能であって、それらも本発明の均等の範囲内である。
（１）地紋層２３は、ベースシート１１の表面の一部に形成する例で説明したが、個人情報記入欄１５に対応する部分であれば、付属シート１２の裏面やベースシート１１の裏面に形成してもよい。
（２）ベースシート１１が、個人情報記入欄１５を裏面側から十分に保護していれば、地紋層２３は不要である。
【図面の簡単な説明】
【００２１】
【図１】本発明による情報保護シートの実施例１を示す図である。
【図２】本発明による情報保護シートの実施例２を示す図である。
【図３】従来の両面記入隠蔽はがきの一例を示す図である。
【符号の説明】
【００２２】
１０、１０−２  情報保護シート
１１  ベースシート
１１−１  第１の領域
１１−２  第２の領域
１２  付属シート
１３  はがき
１４  宛名面
１５  個人情報記入欄（秘匿情報欄）
１６  アンケート記入欄
１７、１７−２  隠蔽部
１８  擬似接着層
１９  透明紙（透明性基材）
２０  透明粘着剤（粘着剤層）
２０−２  再剥離再貼付粘着剤（再剥離再貼付粘着剤層）
２１  剥離紙（剥離基材）
２２  保護ラベル（ラベル部）
２３  地紋層
ｍｃ  折りミシン目（折り線）
【図１】
2006292996.tif 000003
【図２】
2006292996.tif 000004
【図３】
2006292996.tif 000005